(57)【要約】  洗浄可能かつ高さ調節可能な枕を開示するものである。本枕には、ピローケース及び前記ピローケース内に封入されるエンボス加工マットが含まれる。前記エンボス加工マットは、複数のエンボス部分を形成するように、少なくとも一方向にキルティングが施され、かつ多層に折り重ねられている。また、本枕には、頸椎または頭部の側面を支えるためのエンボス加工マットがさらに含まれていてもよい。よって、本枕は、衛生的に使用するために洗浄が可能であるとともに、快適でもある。さらに、本枕利用者の睡眠習慣が仰臥位であるか横臥位であるかに拘わらず、また、本枕利用者が無意識にその寝相を変える場合にも、本枕の高さは、本枕利用者の体形と寝相に合わせて広範囲に調節が可能である。したがって、本枕により、本枕利用者は熟睡できるようになるとともに、その首肩の痛みや変形が防止される。
2009505773.tif 000002
【特許請求の範囲】
【請求項１】
下記を含む枕。ピローケースと、前記ピローケース内に封入される第１エンボス加工マットであって、複数のエンボス部分を形成するように、少なくとも一方向にキルティングが施されているとともに多層に折り重ねられていることを特徴とする前記第１エンボス加工マット。
【請求項２】
請求項１に係る枕において、下記をさらに含む枕。
前記ピローケースの片側に封入される、頸椎を支えるための第２エンボス加工マットであって、複数のエンボス部分を形成するように、少なくとも一方向にキルティングが施されている第２エンボス加工マット。
【請求項３】
請求項１に係る枕において、下記をさらに含む枕。前記ピローケースの両側に封入される、頭部の側面を支えるための第３エンボス加工マットであって、そのそれぞれが、複数のエンボス部分を形成するように、少なくとも一方向にキルティングが施されている第３エンボス加工マット。
【請求項４】
請求項１に係る枕において、前記第１エンボス加工マットが、締着手段によって互いに接続される複数の部分品を含み、前記締着手段が、ジッパー、ボタン、クリップ、ベルクロテープ及びその組み合わせなるグループから選択されるものであることを特徴とする枕。
【請求項５】
請求項１に係る枕において、下記をさらに含む枕。
頸椎を支えるための第２エンボス加工マットと、頭部の側面を支えるための第３エンボス加工マットであって、
前記第１エンボス加工マットが、前記第２及び第３エンボス加工マットが挿入されるポケットとともに形成されていることを特徴とする第３エンボス加工マット。
【発明の詳細な説明】
【技術分野】
【０００１】
本発明は枕に関するものであり、より具体的には、衛生的に使用するために洗浄することができ、洗浄後または長期使用後にも、詰め物が塊を形成したり団子状になって片側に偏ることが防止され、本枕利用者の寝相が仰臥位であるか横臥位であるかに拘わらず、また、本枕利用者が無意識にその寝相を変える場合にも、本枕利用者の体形と寝相に合わせて前記エンボス加工マットを多層に折り重ねるかまたは前記マットを巻き丸めることによって高さが調節され、それによって、本枕利用者が熟睡できるようになるとともにその首肩の痛みや変形が防止されることを特徴とする、複数のエンボス部分を形成するようにキルティングが施されたエンボス加工マットを含む枕に関するものである。
【背景技術】
【０００２】
通常、枕はピローケース内に封入される。従来型の枕の中には、そば殻、もみ殻、乾燥したハーブ、セラミック、合成樹脂、発泡樹脂、羽毛、ウール、ポリエステル、ラテックスなどのような各種詰め物が入っている。
【０００３】
しかしながら、かかる枕の詰め物は洗浄できないので、衛生状態の問題が生じる。特に、穀類、穀類の殻または乾燥したハーブなどのような詰め物は、湿度によって腐敗しやすく、皮膚炎やアレルギー反応を引き起こすさまざまな細菌やイエダニの温床を提供する。また、かかる枕のサイズ及び高さは、製品規格やその詰め物の量によって決定される。したがって、かかる枕の高さは調節することができない。
【０００４】
コットンで詰められている枕の洗浄時には、そのコットンが塊を形成したり、団子状になって片側に偏ったりする場合がある。また、かかる枕は、一定期間の使用のために扁平化した後には、元の高さを回復することができず、したがって、かかる枕の利用者の頭や首を適切な位置で支えることができなくなってしまう。このため、かかる枕は廃棄されなくてはならない。つまり、従来型の枕の使用は経済的でない。
【０００５】
前記従来型枕の利用者が、横臥位に適した高さの該枕に頭を当てて横臥位で睡眠中に、無意識にその寝相を仰臥位に変えた場合、前記従来型枕は首の痛みや睡眠障害を引き起こす可能性もある。一方に、前記従来型枕の利用者が、仰臥位に適した高さの該枕に頭を当てて仰臥位で睡眠中に、その寝相を横臥位に変えた場合、前記従来型枕は、その高さが適切な高さと比べて１肩の長さ分だけ合わなくなるため、首の痛みや睡眠障害を引き起こす。
【発明の開示】
【発明が解決しようとする課題】
【０００６】
したがって、本発明は、上記問題点に鑑みてなされたものであり、本発明の目的は、清浄するための洗浄が可能であり、衛生的に使用することができる枕を提供することにある。
【０００７】
また、本発明の他の目的は、本枕利用者の寝相が仰臥位であっても横臥位であっても、また、本枕利用者が無意識にその寝相を変える場合でも、本枕利用者の体形または寝相にしたがって本枕利用者の頸椎または頭部の側面を支えるために高さを容易に調節することが可能な枕を提供することにある。
【０００８】
また、本発明のもう一つの目的は、洗浄後または長期使用後にも、詰め物が塊を形成したり団子状になって片側に偏ることを防止し、その元の高さへの復元力を増大し、快適感を得ることができるような枕を提供することにある。
【課題を解決するための手段】
【０００９】
本発明の態様にしたがって、上記及び他の目的は下記を含む枕を提供することで達成することができる。ピローケースと、前記ピローケース内に封入される第１エンボス加工マットであって、複数のエンボス部分を形成するように、少なくとも一方向にキルティングが施されているとともに多層に折り重ねられていることを特徴とする前記第１エンボス加工マット。
【００１０】
好ましくは、本枕には、前記ピローケースの片側に封入される、頸椎を支えるための第２エンボス加工マットであって、複数のエンボス部分を形成するように、少なくとも一方向にキルティングが施されている第２エンボス加工マットをさらに含むこともできる。
【００１１】
好ましくは、本枕には、前記ピローケースの両側に封入される、頭部の側面を支えるための第３エンボス加工マットであって、そのそれぞれが、複数のエンボス部分を形成するように、少なくとも一方向にキルティングが施されている第３エンボス加工マットをさらに含むこともできる。
【００１２】
前記第１エンボス加工マットには、締着手段によって互いに接続される複数の部分品が含まれる。好ましくは、前記締着手段は、ジッパー、ボタン、クリップ、ベルクロテープ及びその組み合わせからなるグループから選択されるものである。
【００１３】
前記第１エンボス加工マットは、頸椎及び頭部の側面を支えるための前記第２及び第３エンボス加工マットが挿入されるポケットとともに形成される。
【発明の効果】
【００１４】
本発明に係る枕によれば、衛生的に使用するために洗浄を行うことができるが、コットンのような詰め物が塊になったり片側に偏ったりすることが防止されるので、本発明の枕は快適かつ経済的である。
【００１５】
本枕利用者の睡眠習慣が仰臥位であるか横臥位であるかに拘わらず、また、本枕利用者が無意識にその寝相を変える場合にも、本枕の高さは、本枕利用者の体形と寝相に合わせて広範囲に調節が可能である。したがって、本発明の枕により、本枕利用者は熟睡できるようになるとともに、その首肩の痛みや変形が防止される。
【発明を実施するための最良の形態】
【００１６】
ここで、本発明の好適な実施形態を、付属図面を参照して詳細に説明する。
【００１７】
図１に示すように、本発明に係る枕は、第１エンボス加工マット２０、前記第１エンボス加工マット２０をパックするためのマットカバー２８、及び前記マットカバー２８とともにパックされた前記第１エンボス加工マット２０を封入するためのピローケース１０を含む。前記第１エンボス加工マット２０は、２層以上に折り重ねることが可能である。前記第１エンボス加工マット２０ならびに前記ピローケース１０は洗浄可能であり、前記第１エンボス加工マット２０の高さは、以降で詳細に説明するように折り重ねられる層の厚さまたは層の数によって調節可能である。
【００１８】
図５〜１０及び図１３〜１５に示すように、前記第１エンボス加工マット２０には横方向ないしは縦方向にキルティングが施されており、複数のキルティング部分２２及びエンボス部分２４で形成されている。前記第１エンボス加工マット２０は、横方向または縦方向に２層以上に折り重ねることが可能である。図１０に示すように、所定の幅を持つ１つ以上の折り重ね部分２６が第１エンボス加工マット２０の上に横方向ないしは縦方向に設けられており、前記第１エンボス加工マット２０の折り重ねが容易に行え、前記第１エンボス加工マット２０の前記ピローケース１０への挿入や取り出しが容易に行えるようになっている。
【００１９】
図２に示すように、本発明の枕は、横方向ないしは縦方向にキルティングが施されており、複数のキルティング部分とエンボス部分で形成される、頸椎を支えるための第２エンボス加工マット１４をさらに含む。頸椎を支えるための前記第２エンボス加工マット１４は、前記第１エンボス加工マット２０上に載置することも、その中に挿入することもでき、前記第１エンボス加工部２０とともに前記ピローケース１０内に封入される。頸椎を支えるための前記第２エンボス加工マット１４は、本枕利用者の頸椎を支えるために適切な位置にある（好ましくは、前方部分または後方部分）。前記第２エンボス加工マット１４は、巻き丸められた形状を有してもよく、本枕利用者が仰臥位で睡眠時に、その体形に合わせて高さを調節することが可能である。
【００２０】
図３に示すように、本発明の枕は、頭部の側面を支えるための第３エンボス加工マット１６及び１６'をさらに含み、それらマットは、横方向ないしは縦方向にキルティングが施されており、複数のキルティング部分とエンボス部分で形成されている。頭部の側面を支えるための前記第３エンボス加工マット１６及び１６'は、前記第１エンボス加工マット２０上に載置することも、その中に挿入することもでき、前記ピローケース１０内に前記第１エンボス加工マット２０とともに封入されている。頭部の側面を支えるための前記第３エンボス加工マット１６及び１６'は、前記本枕利用者の頭部の側面を支えるために適切な位置にある（好ましくは左側ないしは右側）。前記エンボス加工マット１６及び１６'は、巻き丸められた形状を有してもよく、本枕利用者が横臥位で睡眠時に、その体形に合わせて高さを調節することが可能である（特に１肩の長さ）。
【００２１】
図４に示すように、頸椎を支えるための前記第２エンボス加工マット１４及び頭部の側面を支えるための前記第３エンボス加工マット１６及び１６'は、本枕利用者の好みに合わせて、前記ピローケース１０内に一緒に封入してもよいし、別個に封入してもよい。
【００２２】
図１１に示すように、前記第１エンボス加工マット２０には、頸椎を支えるための前記第２エンボス加工マット１４を挿入できるポケット１８が前方部分または後方部分に設けられており、前記第２エンボス加工マット１４の前記ピローケース１０への挿入や取り出しが容易に行え、かつその位置を確実に固定できるようになっている。同じ理由から、図１２に示すように、前記第１エンボス加工マット２０には、頭部の側面を支えるための前記第３エンボス加工マット１６及び１６'を挿入できるポケット１９及び１９'が左部分と右部分に設けられている。
【００２３】
図１７に示すように、単層または２層の補助エンボス加工マット３０は、前記折り重ねられた第１エンボス加工マット２０上に載置し、前記ピローケース１０内に封入することもできる。また、フック部材３２を前記補助エンボス加工マット３０ないしは前記第１エンボス加工マット２０のコーナーに設けることもできて、洗浄エンボス加工マットを乾燥ラックに容易に掛けることができるようになっている。
【００２４】
図５〜９に示すように、前記第１エンボス加工マット２０には、締着手段４０がすべての側面に沿って設けられている。好ましくは、前記締着手段４０は、ジッパー、ボタン、クリップ、ベルクロテープ及びその組み合わせからなるグループから選択されるものである。前記締着手段４０によって、２つ以上の単一エンボス加工マットを互いに自由に接続することが可能になる。
【００２５】
図１６に示すように、前記上記締着手段４０は、前記第１エンボス加工マット２０及び前記補助エンボス加工マット３０のそれぞれの表面と、前記ピローケース１０の内面とに設けられる。前記締着手段４０によって、前記第１エンボス加工マット２０を確実に折り重ねることが可能になる。さらに、前記締着手段４０によって、前記第１エンボス加工マット２０及び前記補助エンボス加工マット３０を前記ピローケース１０の内面に固定的に取り付けることが可能になり、前記第１エンボス加工マット２０及び前記補助エンボス加工マット３０が前記ピローケース１０の内部でスリップすることが防止される。
【００２６】
図１０に示すように、前記第１エンボス加工マット２０には横方向ないしは縦方向にキルティングが施されており、複数のキルティング部分２２及びエンボス部分２４で形成されているので、たとえ前記第１エンボス加工マット２０が洗浄されても、個々のエンボス部分２４内に詰められたコットンのような前記詰め物２３は、塊を形成したり、団子状になって片側に偏ることなく、均一な分散状態に保たれる。したがって、前記第１エンボス加工マット２０の元の高さへの復元力は増大し、本枕利用者は、長期使用後ですら快適感を得ることができる。
【産業上の利用可能性】
【００２７】
上記の説明から明らかなように、本発明に係る枕には、複数のキルティング部分とエンボス部分を形成するようにキルティングが施されているエンボス加工マットが含まれるので、本枕は清浄するための洗浄が可能であり、衛生的に使用することができる。また、個々のエンボス部分内に詰められたコットンのような詰め物は、洗浄または長期使用の後にですら塊になったり、片側に片寄ったりしないので、本発明の枕は快適かつ経済的である。
【００２８】
本枕利用者の睡眠習慣が仰臥位であるか横臥位であるかに拘わらず、また、本枕利用者が無意識にその寝相を変える場合にも、本枕の高さは、本枕利用者の体形と寝相に合わせて広範囲に調節が可能である。したがって、本発明の枕により、本枕利用者は熟睡できるようになるとともに、その首肩の痛みや変形が防止される。
【００２９】
本発明の好適な実施形態は例示的な目的で開示したものであって、当業者であれば、種々の変更、付加および代替を添付の特許請求の範囲で開示した本発明の範囲および真の趣旨から逸脱することなく行い得ることを理解されるであろう。
【図面の簡単な説明】
【００３０】
【図１】本発明の好適な実施形態に係る、第１エンボス加工マット及び前記第１エンボス加工マットを封入するピローケースを含む枕を示す断面図。
【図２】本発明の好適な実施形態に係る、第１エンボス加工マット、頸椎を支えるための第２エンボス加工マットと、前記第１及び第２エンボス加工マットを封入するピローケースを含む枕を示す断面図。
【図３】本発明の好適な実施形態に係る、第１エンボス加工マット、頭部の側面を支えるための第３エンボス加工マットと、前記第１及び第３エンボス加工マットを封入するピローケースを含む枕を示す断面図。
【図４】本発明の好適な実施形態に係る、頸椎を支えるための第２エンボス加工マット、頭部の側面を支えるための第３エンボス加工マット及びピローケースを示す斜視図。
【図５】１〜６個に分解できる第１エンボス加工マットを示す斜視図。
【図６】１〜４個に分解できる第１エンボス加工マットを示す斜視図。
【図７】１〜３個に分解できる第１エンボス加工マットを示す斜視図。
【図８】１〜２個に分解できる第１エンボス加工マットを示す斜視図。
【図９】単一の第１エンボス加工マットを示す斜視図。
【図１０】第１エンボス加工マットを示す拡大断面図。
【図１１】頸椎を支えるための第２エンボス加工マットが挿入されるポケットが形成された第１エンボス加工マットを示す斜視図。
【図１２】頭部の側面を支えるための第３エンボス加工マットが挿入されるポケットが形成された第１エンボス加工マットを示す斜視図。
【図１３】横方向に折り重ねられている状態の第１エンボス加工マットを示す斜視図。
【図１４】縦方向に折り重ねられている状態の第１エンボス加工マットを示す斜視図。
【図１５】巻き丸められた状態の第１エンボス加工マットを示す断面図。
【図１６】締着手段によって確実に折り重ねられた第１エンボス加工マットを示す斜視図。
【図１７】第１エンボス加工マット及び前記第１エンボス加工マット上に載置される補助エンボス加工マットを示す斜視図。
【図１】
2009505773.tif 000003
【図２】
2009505773.tif 000004
【図３】
2009505773.tif 000005
【図４】
2009505773.tif 000006
【図５】
2009505773.tif 000007
【図６】
2009505773.tif 000008
【図７】
2009505773.tif 000009
【図８】
2009505773.tif 000010
【図９】
2009505773.tif 000011
【図１０】
2009505773.tif 000012
【図１１】
2009505773.tif 000013
【図１２】
2009505773.tif 000014
【図１３】
2009505773.tif 000015
【図１４】
2009505773.tif 000016
【図１５】
2009505773.tif 000017
【図１６】
2009505773.tif 000018
【図１７】
2009505773.tif 000019
【国際調査報告】
2009505773.tif 000020
2009505773.tif 000021